(57)【要約】　　　（修正有）【課題】ゴルフのウッドクラブの付属品としてのヘッドカバーを、これらのクラブと対に表示できる展示用支持装置を提供する。【解決手段】基幹部材２に略等間隔にヘッドカバーの懸架部４を設け、該基幹部材２は、展示用水平アームもしくは展示用垂直ポストに取り付けるための取り付け部材６を有する。【選択図】　図１
2004073787.tif 000002
【特許請求の範囲】
【請求項１】
複数のゴルフ用ウッドクラブを一ラインに並べて展示する展示用支持装置の隣接位置に配置し、該複数のゴルフ用ウッドクラブのヘッドカバーを、該並べて展示した複数のウッドと対になるように展示できるようにしたヘッドカバーの展示用支持装置
【請求項２】
基幹部材、該基幹部材に略等間隔に前記ヘッドカバーの懸架部を設け、該基幹部材は、展示用水平アームもしくは展示用垂直ポストに取り付けるための取り付け部材を有してなることを特徴とする特許請求の範囲第一項に示したヘッドカバーの展示用支持装置
【請求項３】
前記基幹部材は垂直に展示され、前記懸架部は懸架のための支持軸となる基幹部と懸架した、前記ヘッドカバーの展示方向や展示態様を安定させるための頭頂部や収納部とから構成されることを特徴とする、特許請求の範囲第一項に示したヘッドカバーの展示用支持装置
【請求項４】
前記基幹部材は水平方向に展示され、前記懸架部は懸架のための支持軸となる基体部と、前記ヘッドカバーの展示方向や展示態様を安定させるための頭預部とから構成されることを特徴とする特許請求の範囲第一項に示したヘッドカバーの展示用支持装置
【発明の詳細な説明】
【０００１】
［発明の属する産業分野］　ゴルフ用品などのスポーツ用品の展示・陳列用品に関する
【０００２】
【従来の技術】従来、ゴルフ用品のクラブ用の展示用支持装置としては、色々なものが開発され商品化している。ところが、ゴルフ用クラブの代表的なクラブとしてあるウッドクラブのヘッドカバーの展示用支持装置は商品化されていない。理由としていくつか考えられる。▲１▼そもそもウッドクラブが主体であり、ヘッドカバーはそれを保護する補足的なものであり、陳列するものではないと考えられて来たこと。▲２▼これまでのゴルフクラブの陳列・展示方法は、ひとかたまりにまとめてクラブを立てて展示したり、横に連続して寝かせて展示するという方法をとって来たため、このクラブと一緒に並べて展示するということがそもそも考えられていなかった。
【０００３】
ヘッドカバーをなくしたユーザーのためのスペア用ヘッドカバーは、ゴルフボールなどのゴルフ用品の部品の販売柵などに陳列され販売されていることはあるが、本来一つの商品として販売されるウッドクラブとそのヘッドカバーは、対にして複数個それぞれ並べて展示されていることはなかった。
【０００４】
【発明が解決しようとする課題】こうした従来の経過から、現状では、ウッドクラブは展示されているが、その展示されているウッドのヘッドカバーは店の倉庫や収納庫などに仕舞われていて、販売のたびごとに取り出さねばならず、取り出すのに時間がかかる。それだけではなく、どのヘッドカバーがどのウッドクラブのものなのか確認に手間取ることになる。お店からすれば、すばやく取り出せるためには収納庫などを別個に便利のいいところに確保する必要があり、それはそれでお店の展示スペースを狭めることになるという問題もあった。
【０００５】
一方で、ウッドクラブ用のヘッドカバーは通常ユーザーがこれを付けて持ち運びすることになるため、クラブ製作メーカーは、ヘッドカバーのデザインや装飾性に力を入れ、単なるカバーという役回りを超えて、そのメーカーのクラブの存在を誇示する広告の一部分としてお金をかけて作っているものもある。
【０００６】
また、ウッドクラブの展示方法として、ヘッド部を上にして一ライン上に並べ展示するウッドクラブの展示用支持装置が様々に開発され、展示スペースが整理されすっきりとした形になって来ている。
【０００７】
［課題を解決するための手段］　そこで、本願では複数のゴルフ用ウッドを展示スペースを生かした形で展示する展示用支持装置が様々に商品開発されている現状を踏まえ、こうした形で展示されているウッドクラブの付属品としてのヘッドカバーをこれらのクラブと対に表示できる展示用支持装置を提供することを考え、上述した問題を解決するようにした。
【０００８】
より具体的には複数のゴルフ用ウッドクラブを一ラインに並べて展示する展示用支持装置の近接位置に配置し、該複数のゴルフ用ウッドクラブのヘッドカバーを該並べて展示した複数のウッドと対になるように展示できるようにしたヘッドカバーの展示用支持装置を提供する。
【０００９】
このヘッドカバーの展示用支持装置としては、複数のヘッドカバーを縦に並べて展示するタイプと、横に一ラインとして展示するタイプを考えた。
【００１０】
【発明の具体的な実施例】以下、本願発明を図面に基づき説明する。図１は本願発明によるウッドクラブの、ヘッドカバーの展示用支持装置の一実施例図で、その正面図と側面図である。この支持装置（１）は、（２）の基幹部材、（４）の懸架部、（６）の取り付け部材とから構成され、また、懸架部（４）は、（８）の基体部、（１０）の頭頂部、（１２）の収納部とから構成されている。
【００１１】
図２は、ウッドクラブとそのヘッドカバーの展示用支持装置の概略図である。展示用の垂直ポスト（図示せず）に渡された水平アーム（１４）に、ウッドクラブ用の展示用支持装置（１６）と図１に示したヘッドカバーの展示用支持装置（１）が取り付けられている。この展示用支持装置（１６）は、本願出願人が本年４月１８日に出願（特許願２００２−１５１５６７）したもので、ゴムや樹脂等でできたフック部材（１８，２０，２２）にヘッドを上にしてウッドクラブを展示するようにしたものである。
【００１２】
図３は、図２の概略図で示した展示用支持装置の実際に用いたときの例示図実用例示図である。ここではウッドクラブの展示用支持装置（２４）に３本のウッドクラブ（２６，２８，３０）が一ライン上に支持展示されている。この展示用支持装置（２４）が取り付けられている水平アーム（３２）に、ヘッドカバーのための展示用支持装置（３４）（３６）が取り付けられ、展示用支持装置（３４）には、ウッドクラブ（２６）（２８）（３０）のそれぞれのヘッドカバー（３８）（４０）（４２）がウッドクラブと対になるように展示されている。展示装置（３６）は、展示装置（３４）と同じものであり、ヘッドカバーをかけない状態を示すためにあえてここで取り付けた。
【００１３】
図４は、本発明によるウッドクラブとヘッドカバーの展示用支持装置の実用例示図である。ここでは、展示用プレート（４４）にメッシュ状の板材（４６）が略直角に取り付けられ、この板材（４６）に取り付けられた水平アーム（４８）にウッドクラブ用の階段状に構成した展示用支持装置（５０）とヘッドカバー用の展示用支持装置（５２）が取り付けられている。ここではウッドクラブ（５４）（５６）（５８）のそれぞれのヘッドカバー（６０）（６２）（６４）が、上から順にウッドクラブに対し対に並べて表示されている。
【００１４】
図５は、図４と同じ実用例示図であり、角度を変えて見た図である。ウッドクラブにはメーカーの商標が刻まれていて、よく見ればどこのメーカーのウッドクラブかが分るようにしているが、本来この部分は、ボールを正確に遠くまで飛ばすことができるかが役割のため、メーカー名の表示は必ずしも大きくないし、余りに目立つ装飾的な工夫もできない。ところが、ヘッドカバーにはメーカー名のブランド名が大きく表示されているため、ウッドクラブと並べて表示することによって、展示したウッドクラブの大きなアピールにもなっている。
【００１５】
図１から図５の実施例図や概略図、そして実用例示図を使い、本願発明の実施態様を説明して来たが、図１に戻って改めて構成上の特徴を説明する。本願発明のヘッドカバーを複数個並べて展示する展示装置の、基幹部材（２）は、基本的には金属材料で作り、取り付け部材（６）、懸架部（４）との連結は、溶接で行い、その上でメッキ処理を行い防錆と装飾を兼ねた処理を行っている。しかしステンレスやアルミなどの防錆機能を持ったものでもよい。取り付け部材も同じでその場合、相互の連結方法は、はめ合いによるかしめなどを行っても（６）よい。
【００１６】
また、基幹部材（２）と取り付け部材（６）をプラスチックなどで一体に作ってもよい。その場合懸架部（４）は、金属で作り、差し込み式にしてもよい。
【００１７】
懸架部（４）は、ここでは縦一列に展示するため、大きなヘッドカバーを展示することを考え、基幹部材（２）の垂直の線に約１５度近く傾けて取り付けている。図３のような比較的小さなヘッドカバーの場合は差し支えないが、図４や図５に見る大きく長いヘッドカバーの場合、このように傾けて取り付けることによって、取り付け可能となっている。
【００１８】
また頭預部（１０）を円形にしているが、このことによってヘッドカバーを懸架したとき、点でなく線で支持することができ、懸架状態を安定させる効果がある。従って、これは円形でなくとも四角形や逆三角形など、その他の類似の形を装飾性との関係で採用すればよい。
【００１９】
収納部（１２）はヘッドカバーを懸架したとき、円筒形のカバーが懸架部にすっぽり収まり、差し障りなく収まるようにした工夫である。こうすることによって、懸架したときの方向が一定のものとなり安定し、ひいては、この展示装置の装飾性を高めている。この収納部（１２）は図１の側面図ではっきりと判る。
【００２０】
図６は、ウッドクラブを４本一ライン上に展示できる展示用支持装置（６６）と、そのヘッドカバーを同じく４本展示できる展示用支持装置（６８）の概略図である。この展示用支持装置（６８）は、４本の懸架部（７０，７２，７４，７６）をもち、展示用支持装置（６６）に展示した４本のウッドクラブのそれぞれのヘッドカバーをそこに展示できるようにしている。
【００２１】
図７はウッドクラブを展示できる展示用支持装置（７８）と、それにほぼ平行にヘッドカバーを展示できるようにした展示用支持装置（８０）の概略図である。ここでは展示用支持装置（８０）の基幹部材（８２）は、展示用支持装置（７８）の連結部材（８４）とほぼ平行に設置されるように作られている。懸架部（８６，８８，９０）は、縦方向に作られヘッドカバーを懸架したときに懸架した展示状態が略等間隔で安定した展示になるように懸架部（８６，８８，９０）の基体部自体巾をもたせ、頭預部も半円形にし展示したヘッドカバーの内側を線で支えるようにしている。
【００２２】
【発明の効果】本発明は、発明の具体的な実施例で示したように、一ライン上に展示した複数のウッドクラブの隣接位置に展示し、その複数のウッドクラブのそれぞれのヘッドカバーをウッドクラブと対になるように複数個展示できるようにした。この結果、これまでのように店内や倉庫など別個のところにヘッドクラブを収納保管していたときに比べ、すぐに顧客に商品を渡すことができるようになった。また、展示段階において、ヘッドカバーによってウッドクラブのメーカー名やブランド名をはっきりと印象付けることができるという効果も産み出せた。
【００２３】
また顧客の中には、既存のヘッドカバーでは満足できないという反応も、このように対比展示しておくことにより、すぐに引き出すことができ、別のデザインや色合いのヘッドカバーを購入してもらったり、それに取替えるなどの次段の顧客サービスもスムーズに行えるという効果もあった。
【００２４】
なお本願発明の実施例は、あくまで一実施例であり、本願発明は、この実施例にとらわれるものではない。
【図面の簡単な説明】
【図１】は、本願発明によるヘッドカバーの展示用支持装置の１実施例図である。
【図２】は、本発明によるウッドクラブとそのヘッドカバーの展示用支持装置の概略図である。
【図３】は、図２で示した展示用支持装置に、ウッドクラブとヘッドカバーを展示支持した実用例示図である。
【図４】は、本発明による展示用支持装置の別の実用例示図である。
【図５】は、本発明による展示用支持装置の別の実用例示図である。
【図６】はウッドクラブを４本一ライン上に展示する展示用支持装置と、そのヘッドカバーの展示支持装置の概略図。
【図７】ウッドクラブを一ライン上に展示する展示装置と略平行にヘッドカバーを展示支持する装置の概略図である。
【図１】
2004073787.tif 000003
【図２】
2004073787.tif 000004
【図３】
2004073787.tif 000005
【図４】
2004073787.tif 000006
【図５】
2004073787.tif 000007
【図６】
2004073787.tif 000008
【図７】
2004073787.tif 000009